(57)【要約】【課題】小型化した絞り装置において、簡易な構成によってフレアーの発生を防止し、これによって撮像画質の向上を図ることができる絞り装置の提供。【解決手段】絞り羽根２ａ，２ｂは、絞り動作時に入射光の光軸Ａに対して近接あるいは離れる方向に移動する。絞り羽根２ａ，２ｂの開口縁３ａ，３ｂ部分には、入射光を所定の透過率を有して通過させるＮＤフィルター４ａ，４ｂが設けられる。ＮＤフィルター４ａ，４ｂには、光軸Ａに面する縁部５ａ，５ｂに、この光軸Ａに対し所定の角度θを有する傾斜面６ａ，６ｂが設けられており、フレアーの発生を防止し撮像画質の改善を図ることができる。【選択図】　　　図１
2004138865.tif 000002
【特許請求の範囲】
【請求項１】
入射光の光軸に対して近接あるいは離れる方向に移動可能な絞り羽根を備えた絞り装置において、
前記光軸に面した前記絞り羽根の開口縁に前記光軸に対し所定の角度を有する傾斜面を設けたことを特徴とする絞り装置。
【請求項２】
入射光の光軸に対して近接あるいは離れる方向に移動可能な絞り羽根を備えた絞り装置において、
前記各絞り羽根には、前記光軸に面する側に前記入射光の透過率を変化させる光学フィルターが設けられ、
前記光学フィルターには、前記光軸に面する縁部に前記光軸に対し所定の角度を有する傾斜面を設けたことを特徴とする絞り装置。
【請求項３】
入射光の光軸に対して近接あるいは離れる方向に移動可能な絞り羽根を備えた絞り装置において、
前記各絞り羽根には、前記光軸に面する開口縁に前記入射光の透過率を変化させる光学フィルターが設けられ、
前記光軸に面した前記絞り羽根の開口縁と、前記光学フィルターの前記光軸に面する縁部には、それぞれ前記光軸に対し所定の角度を有する傾斜面を設けたことを特徴とする絞り装置。
【請求項４】
前記傾斜面の角度は、略１０〜１５°であることを特徴とする請求項１〜３のいずれか一つに記載の絞り装置。
【請求項５】
前記傾斜面は、所定曲率を有する凹状の曲面としたことを特徴とする請求項１〜４のいずれか一つに記載の絞り装置。
【請求項６】
前記傾斜面は、所定曲率を有する凸状の曲面としたことを特徴とする請求項１〜４のいずれか一つに記載の絞り装置。
【請求項７】
前記傾斜面の鋭角頂点を前記入射光の入射方向に対して前方側に設けたことを特徴とする請求項１〜６のいずれか一つに記載の絞り装置。
【請求項８】
前記傾斜面の鋭角頂点を前記入射光の入射方向に対して後方側に設けたことを特徴とする請求項１〜６のいずれか一つに記載の絞り装置。
【請求項９】
前記絞り羽根が複数枚からなるとき、前記傾斜面は、各絞り羽根毎に鋭角頂点を前記入射光の入射方向に対して前方側、あるいは後方側となるよう組み合わせて設けたことを特徴とする請求項１〜６のいずれか一つに記載の絞り装置。
【請求項１０】
前記絞り羽根および前記光学フィルターはいずれも所定厚さで平面状に形成され、前記絞り羽根の面に対し前記光学フィルターの面が面接合されてなり、該光学フィルターを備えた絞り羽根は、前記光軸に対し直交する方向の面内で往復移動可能なことを特徴とする請求項１〜９のいずれか一つに記載の絞り装置。
【請求項１１】
前記光学フィルターは、入射光を所定の透過率を有して通過させるＮＤフィルターであることを特徴とする請求項２〜１０のいずれか一つに記載の絞り装置。
【請求項１２】
請求項１〜１１のいずれか一つに記載の絞り装置を備えたことを特徴とする撮像装置。
【請求項１３】
入射光の光軸に対して近接あるいは離れる方向に移動可能な絞り羽根を備えた絞り装置の製造方法において、
入射光の透過率を変化させる光学フィルターの前記光軸に面する縁部に該光軸に対して所定の角度を有する傾斜面を設ける加工工程と、
前記光学フィルターを前記傾斜面が前記光軸側に向いた状態で前記絞り羽根の前記光軸に面する開口縁に取り付ける取り付け工程と、
を含むことを特徴とする絞り装置の製造方法。
【請求項１４】
前記加工工程は、金型を用いた打ち抜きにより前記光学フィルターに前記傾斜面を形成することを特徴とする請求項１３に記載の絞り装置の製造方法。
【請求項１５】
前記金型を用いた打ち抜き時の傾斜面の角度は、前記光学フィルターの面と直交する角度に対し略１０〜１５°であることを特徴とする請求項１４に記載の絞り装置の製造方法。
【発明の詳細な説明】
【０００１】
【発明の属する技術分野】
この発明は、ビデオカメラ等の撮像装置の光学系に使用される絞り装置に関し、特に、絞り羽根によるフレアーの発生を防止した絞り装置、その絞り装置を備えた撮像装置および絞り装置の製造方法に関する。
【０００２】
【従来の技術】
ビデオカメラ等の撮像装置のレンズ（鏡筒）には、２枚の絞り羽根に各々凹状の切欠部を設け、この切欠部の重なりを変化させることによって光量を調整する構造の絞り装置が搭載されている。最近のビデオカメラにおいては、撮像素子が高感度化しているため、高輝度被写体を撮影する場合には絞り開口径を小さくするが、この絞り開口を極度に小さくした場合に回折現象（フレアー）が発生して解像力が低下するという問題がある。この回折現象の影響を少なくするために、各絞り羽根の切欠部の底を覆うように、光の透過率を低下させるためのフィルターとしてＮＤフィルターを取り付けた構造の絞り装置が提案されている（例えば、特許文献１参照。）。
【０００３】
図８は、従来の絞り装置における２枚の絞り羽根を組み合わせた状態を示す斜視図である。図示のように、絞り装置を構成する絞り羽根５１ａ，５１ｂにはＮＤフィルター５３ａ，５３ｂが取り付けられている。このＮＤフィルター５３ａ，５３ｂは、さまざまな形状を有しており、絞り開口を形成する縁部は凸状の円弧形状や、凹状の切り欠きを有している。ＮＤフィルター５３ａ，５３ｂをこれらさまざまな形状に加工するためには、通常、厚さ０．１ｍｍ程度のシート状のものを金型を用いて打ち抜き加工するようになっている。
【０００４】
ここで、上記の絞り羽根５１ａ，５１ｂのような、入射光の透過部に配置される部品では、光軸Ａと平行な面が存在すると光反射によりフレアーが発生し、その平行な面の幅が０．１ｍｍ程度であっても画質が劣化することが知られている。
【０００５】
図９は、鏡筒内のレンズ保持構造を示す要部断面図である。図示の例では、レンズ枠６０内部に設けられた第１，第２レンズ６１ａ，６１ｂのスペーサ６２部分に遮光線６２ａを形成している。
【０００６】
このように、レンズを構成する部品である鏡筒、レンズ枠やスペーサ等、入射光の透過部に近く光軸と平行になるような部分には、内径部に遮光線、すなわち０．５ｍｍピッチの連続したＶ溝等を加工して、光軸と平行な部分を極力減らして上記フレアー発生を防ぐよう構成されている。
【０００７】
ところで、図８に示す絞り羽根５１ａ，５１ｂについても同様にフレアーの発生を防止するためにできるだけ薄いものを用いる傾向となっており、現在では絞り羽根５１ａ，５１ｂの厚さが０．０２ｍｍ程度の炭素鋼板も用いられている。このような絞り装置を構成する部品において、光軸と平行な面を設けない技術としては、例えば下記の特許文献２〜５等がある。
【０００８】
【特許文献１】
特開平８−４３８７８号公報
【特許文献２】
特開２０００−３４７２３９号公報
【特許文献３】
特開平１１−５２４４９号公報
【特許文献４】
特開平１１−１６７１４０号公報
【特許文献５】
特開平５−２８１５９１号公報
【０００９】
【発明が解決しようとする課題】
しかしながら、上記各特許文献の技術によれば、それぞれ下記の問題が生じていた。図１０は、図８に示した絞り装置の部分拡大側断面図である。図示のように、絞り羽根５１ａ，５１ｂに対しＮＤフィルター５３ａ，５３ｂを面接合して平行に貼り付けた構成においては、小絞り時においてＮＤフィルター５３ａ，５３ｂの端面５５ａ，５５ｂが光軸Ａに対して平行な面として入射光の透過部に存在することになり、フレアー発生による画質の劣化が生じた。
【００１０】
ＮＤフィルター５３ａ，５３ｂは、一般的に使用されている市販品の厚さが約０．１ｍｍと薄く前述した遮光線を加工形成することは困難であるため、従来は端面５５ａ，５５ｂが光軸Ａと平行な状態のままで使用されており、フレアーが発生する問題を解消できなかった。
【００１１】
また、特許文献２に記載された技術では、絞り羽根を垂直に配置した場合に比べて絞り羽根の移動距離が長くなり絞り装置が大型化する。特許文献３に記載された技術では、薬剤塗布という二次工程が必要となりその分製造工程が複雑になる。特許文献４に記載された技術では、ＮＤフィルターがストッパから脱落する危険性が高く、脱落を防止しながらの組み立てが必要となり組み立てに時間がかかる。特許文献５に記載された技術では、ＮＤフィルターを傾けた量だけ絞りとレンズを離さねばならず、光軸方向に対する大きさが増大してしまうなどの光学設計上好ましくない制約が発生する、という問題を有していた。
【００１２】
この発明は、上述した従来技術による問題点を解消するため、小型化した絞り装置において、簡易な構成によってフレアーの発生を防止し、これによって撮像画質の向上を図ることができる絞り装置を提供することを目的とする。また、光学系の大型化を抑えることで、装置全体の大型化を抑えることが可能な撮像装置を提供することを目的とする。また、フレアーの発生を防止することができる小型化した絞り装置を簡易かつ効率良く製造することができる絞り装置の製造方法を提供することを目的とする。
【００１３】
【課題を解決するための手段】
上述した課題を解決し、目的を達成するため、請求項１の発明にかかる絞り装置は、入射光の光軸に対して近接あるいは離れる方向に移動可能な絞り羽根を備えた絞り装置において、前記光軸に面した前記絞り羽根の開口縁に前記光軸に対し所定の角度を有する傾斜面を設けたことを特徴とする。
【００１４】
この請求項１の発明によれば、絞り羽根の開口部に傾斜面を設けたことによって、そこを通過する光によって発生するフレアーを防止することができる。
【００１５】
また、請求項２の発明にかかる絞り装置は、入射光の光軸に対して近接あるいは離れる方向に移動可能な絞り羽根を備えた絞り装置において、前記各絞り羽根には、前記光軸に面する側に前記入射光の透過率を変化させる光学フィルターが設けられ、前記光学フィルターには、前記光軸に面する縁部に前記光軸に対し所定の角度を有する傾斜面を設けたことを特徴とする。
【００１６】
この請求項２の発明によれば、光学フィルターの縁部に傾斜面を設けたことによって、そこを通過する光によって発生するフレアーを防止することができる。
【００１７】
また、請求項３の発明にかかる絞り装置は、入射光の光軸に対して近接あるいは離れる方向に移動可能な絞り羽根を備えた絞り装置において、前記各絞り羽根には、前記光軸に面する開口縁に前記入射光の透過率を変化させる光学フィルターが設けられ、前記光軸に面した前記絞り羽根の開口縁と、前記光学フィルターの前記光軸に面する縁部には、それぞれ前記光軸に対し所定の角度を有する傾斜面を設けたことを特徴とする。
【００１８】
この請求項３の発明によれば、絞り羽根の開口部および光学フィルターの縁部にそれぞれ傾斜面を設けたことによって、そこを通過する光によって発生するフレアーを防止することができる。
【００１９】
また、請求項４の発明にかかる絞り装置は、請求項１〜３のいずれか一つに記載の発明において、前記傾斜面の角度は、略１０〜１５°であることを特徴とする。
【００２０】
この請求項４の発明によれば、傾斜面を簡単に形成できるようになる。
【００２１】
また、請求項５の発明にかかる絞り装置は、請求項１〜４のいずれか一つに記載の発明において、前記傾斜面は、所定曲率を有する凹状の曲面としたことを特徴とする。
【００２２】
また、請求項６の発明にかかる絞り装置は、請求項１〜４のいずれか一つに記載の発明において、前記傾斜面は、所定曲率を有する凸状の曲面としたことを特徴とする。
【００２３】
また、請求項７の発明にかかる絞り装置は、請求項１〜６のいずれか一つに記載の発明において、前記傾斜面の鋭角頂点を前記入射光の入射方向に対して前方側に設けたことを特徴とする。
【００２４】
また、請求項８の発明にかかる絞り装置は、請求項１〜６のいずれか一つに記載の発明において、前記傾斜面の鋭角頂点を前記入射光の入射方向に対して後方側に設けたことを特徴とする。
【００２５】
また、請求項９の発明にかかる絞り装置は、請求項１〜６のいずれか一つに記載の発明において、前記絞り羽根が複数枚からなるとき、前記傾斜面は、各絞り羽根毎に鋭角頂点を前記入射光の入射方向に対して前方側、あるいは後方側となるよう組み合わせて設けたことを特徴とする。
【００２６】
また、請求項１０の発明にかかる絞り装置は、請求項１〜９のいずれか一つに記載の発明において、前記絞り羽根および前記光学フィルターはいずれも所定厚さで平面状に形成され、前記絞り羽根の面に対し前記光学フィルターの面が面接合されてなり、該光学フィルターを備えた絞り羽根は、前記光軸に対し直交する方向の面内で往復移動可能なことを特徴とする。
【００２７】
この請求項１０の発明によれば、絞り羽根の移動が光軸と直交する方向のみであり、フレアーを防止できる光学フィルターを備えつつ絞り装置の大型化を抑えることができる。
【００２８】
また、請求項１１の発明にかかる絞り装置は、請求項２〜１０のいずれか一つに記載の発明において、前記光学フィルターは、入射光を所定の透過率を有して通過させるＮＤフィルターであることを特徴とする。
【００２９】
また、請求項１２の発明にかかる撮像装置は、請求項１〜１１のいずれか一つに記載の絞り装置を備えたことを特徴とする。
【００３０】
この請求項１２の発明によれば、フレアーの発生を防ぎつつ、撮像装置のうちの光学系の部分の大型化を抑えることができる。
【００３１】
また、請求項１３の発明にかかる絞り装置の製造方法は、入射光の光軸に対して近接あるいは離れる方向に移動可能な絞り羽根を備えた絞り装置の製造方法において、入射光の透過率を変化させる光学フィルターの前記光軸に面する縁部に該光軸に対して所定の角度を有する傾斜面を設ける加工工程と、前記光学フィルターを前記傾斜面が前記光軸側に向いた状態で前記絞り羽根の前記光軸に面する開口縁に取り付ける取り付け工程とを含むことを特徴とする。
【００３２】
この請求項１３の発明によれば、傾斜面を有する光学フィルターによって、そこを通過する光によって発生するフレアーを防止することができる光学フィルターを備えた絞り羽根を容易に製造することができる。
【００３３】
また、請求項１４の発明にかかる絞り装置の製造方法は、請求項１３に記載の発明において、前記加工工程は、金型を用いた打ち抜きにより前記光学フィルターに前記傾斜面を形成することを特徴とする。
【００３４】
この請求項１４の発明によれば、光学フィルターに対して容易に傾斜面を設けることができる。
【００３５】
また、請求項１５の発明にかかる絞り装置の製造方法は、請求項１４に記載の発明において、前記金型を用いた打ち抜き時の傾斜面の角度は、前記光学フィルターの面と直交する角度に対し略１０〜１５°であることを特徴とする。
【００３６】
この請求項１５の発明によれば、光学フィルターに対してフレアー発生を防止できる角度の傾斜面を容易に設けることができる。
【００３７】
【発明の実施の形態】
以下に添付図面を参照して、この発明にかかる絞り装置、撮像装置および絞り装置の製造方法の好適な実施の形態を詳細に説明する。この絞り装置は、撮像素子としてのＣＣＤを備えたデジタルスチルカメラやビデオカメラ等のレンズ（鏡筒）に設けられる。
【００３８】
（実施の形態１）
図１は、この発明の絞り装置の実施の形態１の構成を示す側断面図である。絞り装置１は、２枚の絞り羽根２ａ，２ｂを備えておりこれら絞り羽根２ａ，２ｂは、前述したように薄厚の平板状に形成されており、絞り制御時には光軸Ａに対して直交する方向（図中Ｂ方向）に往復移動可能である。一対の絞り羽根２ａ，２ｂは、小絞り時には互いが近接して入射光の通過量を減少させ、絞り開放時には互いが離れて入射光の通過量を増大させる。
【００３９】
絞り羽根２ａ，２ｂには、光軸Ａに向いた開口縁３ａ，３ｂ部分にそれぞれＮＤフィルター４ａ，４ｂが取り付けられている。これらＮＤフィルター４ａ，４ｂも前述したように薄厚の平板状に形成され、絞り羽根２ａ，２ｂに対し図示のように面接合させ接着剤等を用いて固定される。
【００４０】
ＮＤフィルター４ａ，４ｂは、光軸Ａに向いた縁部５ａ，５ｂに所定角度の傾斜面６ａ，６ｂが形成されてなる。この傾斜面６ａ，６ｂは、光軸Ａに対して角度θを有する。角度θは、フレアーの発生を防止可能な角度である。この傾斜面６ａ，６ｂは、平滑面でなくともよい。
【００４１】
図２は、絞り装置を備えたビデオカメラの概要構成を示す図である。ビデオカメラ１０は、レンズ鏡筒１１内部に上記絞り装置１とフォーカスロック機構（不図示）等の光学系を備える。これら光学系によって結像された被写体の像は、撮像素子であるＣＣＤ１３により電気信号に変換され、ＣＣＤ１３の出力は信号処理部１４により画像展開され、像記録部１５に記録される。
【００４２】
ＣＣＤ１３は、被写体が高輝度な場合には、絞り装置１が小絞りとなり、絞り羽根２ａ，２ｂがそれぞれ接近する方向に移動する。この際、絞り羽根２ａ，２ｂに設けられたＮＤフィルター４ａ，４ｂにより、入射された光の透過率を低下させ、回折現象を低下させることができる。
【００４３】
このような小絞り時には、入射光がＮＤフィルター４ａ，４ｂ部分を通過する。図１に示すように、この際、ＮＤフィルター４ａ，４ｂの縁部５ａ，５ｂには傾斜面６ａ，６ｂが形成されており、この傾斜面６ａ，６ｂは光軸Ａと平行ではない（光軸Ａの直線に対し非対称）ため、フレアーの発生を防止することができるようになる。これにより、フレアーの発生が原因となっている小絞り時における解像度の低下を防止して画質改善を図れるようになる。
【００４４】
このように、実施の形態１にかかる絞り装置は、光軸Ａに面するＮＤフィルター４ａ，４ｂの縁部５ａ，５ｂに傾斜面６ａ，６ｂを設けることによって、光軸Ａに対して平行な面が形成されずこの縁部５ａ，５ｂの光反射によるフレアーの発生を抑え撮像画質を改善できるようになる。また、絞り装置１の絞り羽根２ａ，２ｂ、およびＮＤフィルター４ａ，４ｂは共に薄厚であり、光軸Ａと直交する方向に移動する構成であるため、構造が簡単で小型化でき光学設計上の新たな制約が生じることがなく、既存の寸法基準で設計できるようになる。また、絞り羽根２ａ，２ｂに対しＮＤフィルター４ａ，４ｂを面接合させて設けることができ、接合時の特殊な加工（折り曲げて接着する等）が不要であるため、特別な接着治具や接着技術を必要としない。
【００４５】
（実施の形態２）
図３は、この発明の絞り装置の実施の形態２の構成を示す側断面図である。実施の形態２の構成は、絞り羽根２ａ，２ｂに直接、傾斜面を設けた構成である。絞り装置１がＮＤフィルター４ａ，４ｂを備えず、絞り羽根２ａ，２ｂのみで構成することもある。このような構成時において、絞り羽根２ａ，２ｂの開口縁３ａ，３ｂを傾斜面７ａ，７ｂとする。傾斜面７ａ，７ｂは、光軸Ａに対し、実施の形態１と同様に角度θを有する。
【００４６】
絞り羽根２ａ，２ｂの移動で絞り量を可変し、特に、小絞りになったとき入射した光は、絞り羽根２ａ，２ｂの開口縁３ａ，３ｂによって遮蔽されるが、この開口縁３ａ，３ｂには傾斜面７ａ，７ｂが形成されているため、やはり光軸Ａに対して平行な面が形成されず、フレアーの発生を防止することができるようになる。
【００４７】
このように、実施の形態２にかかる絞り装置は、光軸Ａに面する絞り羽根２ａ，２ｂの開口縁３ａ，３ｂに傾斜面７ａ，７ｂを設けることによって、光軸Ａに対して平行な面が形成されずこの開口縁３ａ，３ｂの光反射によるフレアーの発生を抑え撮像画質を改善できるようになる。また、絞り装置１の絞り羽根２ａ，２ｂは薄厚であり、光軸Ａと直交する方向に移動する構成であるため、構造が簡単で小型化でき光学設計上の新たな制約が生じることがない。
【００４８】
（実施の形態３）
図４は、この発明の絞り装置の実施の形態３の構成を示す側断面図である。実施の形態３は、実施の形態１および２を合わせた構成である。図示のように、絞り羽根２ａ，２ｂの開口縁３ａ，３ｂに傾斜面７ａ，７ｂを設け、また、絞り羽根２ａ，２ｂに取り付けられるＮＤフィルター４ａ，４ｂの縁部５ａ，５ｂにも傾斜面６ａ，６ｂを設けてなる。傾斜面６ａ，６ｂおよび傾斜面７ａ，７ｂは、光軸Ａに対し、実施の形態１と同様に角度θを有する。
【００４９】
上記構成により、小絞り時において、ＮＤフィルター４ａ，４ｂを通過する光にフレアーの発生を防止するとともに、中絞り時等、絞り羽根２ａ，２ｂの開口縁３ａ，３ｂによって入射光を遮蔽する際においても、開口縁３ａ，３ｂに設けられた傾斜面７ａ，７ｂによってフレアーの発生を防止することができるようになる。これにより、絞り装置における所定範囲の絞り開度（特に、小絞り〜中絞り時）におけるフレアーの発生を効率的に防止できるようになる。
【００５０】
このように、実施の形態３にかかる絞り装置は、光軸Ａに面するＮＤフィルター４ａ，４ｂの縁部５ａ，５ｂに傾斜面６ａ，６ｂを設け、さらに、絞り羽根２ａ，２ｂの開口縁３ａ，３ｂに傾斜面７ａ，７ｂを設けることによって、光軸Ａに対して平行な面が形成されずこれらＮＤフィルター４ａ，４ｂの縁部５ａ，５ｂ、および絞り羽根２ａ，２ｂの開口縁３ａ，３ｂの光反射によるフレアーの発生を抑え撮像画質を改善できるようになる。また、絞り装置１の絞り羽根２ａ，２ｂ、およびＮＤフィルター４ａ，４ｂは共に薄厚であり、光軸Ａと直交する方向に移動する構成であるため、構造が簡単で小型化でき光学設計上の新たな制約が生じることがなく、既存の寸法基準で設計できるようになる。また、絞り羽根２ａ，２ｂに対しＮＤフィルター４ａ，４ｂを面接合させて設けることができ、接合時の特殊な加工（折り曲げて接着する等）が不要であるため、特別な接着治具や接着技術を必要としない。
【００５１】
上記の各実施の形態の説明では、光学フィルターとしてＮＤフィルター４ａ，４ｂを例にとり、このＮＤフィルター４ａ，４ｂに傾斜面６ａ，６ｂを設ける構成とした。しかし、傾斜面６ａ，６ｂは、ＮＤフィルター４ａ，４ｂに設けるに限らず、スポットフィルターや、赤外カットフィルター等のほかの光学フィルターに対し同様に設けてフレアーの発生を防止し、画質改善効果を得ることができる。
【００５２】
上記の各実施の形態において説明した傾斜面の傾き方向は、光の入射方向で見て傾斜面６ａ，６ｂの鋭角頂点６ａａ，６ｂａが対物側（前方）に位置する場合（図１参照）、あるいは、図５に示す他の構成例のように、鋭角頂点６ａａ，６ｂａが結像側（後方）に位置する場合、のいずれに傾けた場合であってもフレアー発生を防止し画質改善できる。
【００５３】
図６および図７は、傾斜面６ａ，６ｂの他の構成例を示す部分拡大図である。図６に示す例は、傾斜面６ａを上述した構成の平坦面ではなく凹状の曲面６ａｂとしたものである。具体的にはＮＤフィルター４ａの縁部５ａに角度θの傾斜面６ａを基準とする面に対して所定曲率の凹状の曲面６ａｂを形成する。また、図７に示す例は、傾斜面６ａに所定の曲率を有する凸状の曲面６ａｃを形成したものである。なお、他方のＮＤフィルター４ｂ側についても同様に傾斜面６ｂに対して凹状あるいは凸状の曲面を形成すればよい。このようにＮＤフィルター４ａ，４ｂの端部に凹状あるいは凸状の曲面を形成しても上記同様にフレアーの発生を防止できる。
【００５４】
なお、発明者等の実験の結果、図１に示すように、傾斜面６ａ，６ｂの鋭角頂点６ａａ，６ｂａが対物側に位置する状態とした方が画質改善効果が高い結果が得られた。また、絞り羽根を一対（２枚）の構成としたとき、ＮＤフィルター４ａ，４ｂに形成する傾斜面６ａ，６ｂの鋭角頂点６ａａ，６ｂａの位置は、いずれも前方あるいは後方の同一方向であってもよいほか、互いに異なる方向であってもよい。以上説明したＮＤフィルター４ａ，４ｂの傾斜面６ａ，６ｂの傾き方向と曲面に関する変形例は、絞り羽根２ａ，２ｂの傾斜面７ａ，７ｂについても同様の変形例として適用することができる。
【００５５】
上記各実施の形態で説明した絞り装置は、一対（２枚）の絞り羽根２ａ，２ｂを有する構成としたが、これに限らず、３枚以上複数枚の絞り羽根がそれぞれ光軸に対し近接あるいは離れる方向に移動する構成であっても同様に適用することができる。この場合、ＮＤフィルターは、各枚毎に傾斜面の鋭角頂点の位置が異なるよう組み合わせてもよい。例えば、複数枚の絞り羽根を環状に設けた絞り装置においては、隣接するＮＤフィルター毎に鋭角頂点を前方側と後方側で交互に配置させてもよい。
【００５６】
以上説明したＮＤフィルター４ａ，４ｂに対し傾斜面６ａ，６ｂを形成する具体的加工方法としては、１）アセトンをＮＤフィルター４ａ，４ｂの縁部５ａ，５ｂに塗布し溶解させて形成させる方法や、２）ＮＤフィルター４ａ，４ｂの縁部５ａ，５ｂをヤスリがけにより削る方法や、３）金型での打ち抜きによる方法を試みた。いずれの方法であっても、同様にフレアー発生を防止できることを確認した。これにより、各種加工方法を用いてＮＤフィルター４ａ，４ｂに所定の角度θを有する傾斜面６ａ，６ｂを形成することにより、フレアーの発生を防止し画質改善を図れるようになる。なお、現状、時間当たりの生産効率では、３）金型での打ち抜き方法が最も効率が高い。
【００５７】
そして、発明者等の実験の結果、上記傾斜面６ａ，６ｂの角度θは、略１０〜１５°の範囲でフレアー低減の効果が得られた。そして、１０°よりも小さな角度ではフレアー低減の効果がほとんど得られなかった。一方、最大の角度θを１５°としたのは、現状において、３）金型での打ち抜きの最大角度の制約がほぼ１５°であるためである。
【００５８】
このように、上記フィルターや絞り羽根に傾斜面を設けた絞り装置は、小型化されたＣＣＤ等の撮像素子を備えたデジタルスチルカメラや上記ビデオカメラ１０等の撮像装置に適用できるほか、銀塩カメラにも適用でき、同様にフレアーの発生を防止して画質の改善を図れるようになる。
【００５９】
【発明の効果】
以上説明したように、この発明の絞り装置によれば、絞り羽根または光学フィルターの簡易な構成によってフレアーの発生を防止し、これによって撮像画質の向上が図れるようになるという効果を奏する。また、この発明の撮像装置によれば、光学系が大型化することなく、装置全体の大型化を抑えつつフレアーの発生を防止し、フレアーの発生にともなう撮像画質の低下を防止することができるという効果を奏する。また、この発明の絞り装置の製造方法によれば、フレアーの発生を防止することができる絞り装置の大型化を抑えつつ容易に製造することができるという効果を奏する。
【図面の簡単な説明】
【図１】この発明の絞り装置の実施の形態１の構成を示す側断面図である。
【図２】絞り装置を備えたビデオカメラの概要構成を示す図である。
【図３】この発明の絞り装置の実施の形態２の構成を示す側断面図である。
【図４】この発明の絞り装置の実施の形態３の構成を示す側断面図である。
【図５】この発明の絞り装置の他の構成例を示す側断面図である。
【図６】傾斜面の他の構成例を示す部分拡大図である。
【図７】傾斜面の他の構成例を示す部分拡大図である。
【図８】従来の絞り装置における２枚の絞り羽根を組み合わせた状態を示す斜視図である。
【図９】鏡筒内のレンズ保持構造を示す要部断面図である。
【図１０】従来の絞り装置の部分拡大側断面図である。
【符号の説明】
１　絞り装置
２ａ，２ｂ　絞り羽根
３ａ，３ｂ　開口縁
４ａ，４ｂ　ＮＤフィルター
６ａ，６ｂ，７ａ，７ｂ　傾斜面
６ａｂ　凹状の曲面
６ａｃ　凸状の曲面
１０　ビデオカメラ
１１　レンズ鏡筒
１３　ＣＣＤ
１４　信号処理部
１５　像記録部
Ａ　光軸
θ　光軸に対する傾斜面の角度
【図１】
2004138865.tif 000003
【図２】
2004138865.tif 000004
【図３】
2004138865.tif 000005
【図４】
2004138865.tif 000006
【図５】
2004138865.tif 000007
【図６】
2004138865.tif 000008
【図７】
2004138865.tif 000009
【図８】
2004138865.tif 000010
【図９】
2004138865.tif 000011
【図１０】
2004138865.tif 000012